(57)【特許請求の範囲】
【請求項１】
相手側コネクタ端子が挿入される挿入口と、自身の端子が挿入される端子挿入口である背面開口とを備えたコネクタハウジングと、
前記背面開口から挿入されて前記コネクタハウジングの内部に保持される端子と、
から構成されるコネクタにおいて、
前記コネクタハウジングには、前記背面開口から前記コネクタハウジングの一方の側壁側の途中まで上半分において連続する側壁開口が形成されかつ前記側壁開口の下端から上方に向けてテーパ付き突起が立設され、かつ、前記端子が前記コネクタハウジングの内部に保持される位置で前記端子の前記コネクタハウジングの前記側壁のテーパ付き突起に対向する部位に、前記突起に入り込むテーパ付き凹部が形成されており、
前記コネクタハウジングの前記側壁の反対側側壁にテーパ付き穴が形成され、かつ、前記端子が前記コネクタハウジングの内部に保持される位置で前記端子の前記コネクタハウジングの前記テーパ付き穴に対向する部位に、前記テーパ付き穴に入り込むテーパ付き突起が形成され、
前記テーパ同士の作用で前記端子の挿入方向と直角な方向に前記端子がスライドして前記端子が前記コネクタハウジング内に保持されることを特徴とする抜け防止コネクタ。
【請求項２】
前記コネクタハウジングの前記側壁開口が形成されている側の側壁からコネクタハウジングの内部空間内に延びるタブサイドが形成され、前記タブサイドと前記端子のピンが接触し、かつ、前記端子のテーパ付き突起が前記コネクタハウジングの内壁と接触することで規制されながら挿入が行われることを特徴とする請求項１記載の抜け防止コネクタ。
【発明の詳細な説明】
【技術分野】
【０００１】
本発明は、抜け防止コネクタに関するもので、特に、構造上、間口（相手側コネクタの端子が挿入するための開口部）側から端子を挿入できないＰＣＢ（プリント回路基板）コネクタおよびＪＣ（Joint connector）について裏側から挿入しても端子保持力や組み付け性が悪化しない抜け防止機能を持たせたコネクタに関する。
【背景技術】
【０００２】
〈特許文献１記載のコネクタ〉
一般的なＰＣＢ（プリント回路基板）端子は間口側からオス端子を挿入している（例えば、特許文献１参照）。
その理由としては、
（１）接触部に樹脂を付着させたくないため。
（２）半田付けする側のリードよりも、オス・メス接触点の精度が重要であるため。
（３）メスコネクタの挿入時のタブ抜けや、オス嵌合後にワイヤーハーネスが引っ張られた際に、オスハウジングとオス端子の保持力を出すため、などが挙げられる。
【先行技術文献】
【特許文献】
【０００３】
【特許文献１】特開２００９−１４６６５９号公報
【０００４】
図８は特許文献１記載のコネクタを示している。
図８（Ａ）はコネクタハウジングの斜視図、図８（Ｂ）は図８（Ａ）の横断面図、図８（Ｃ）は端子を挿入した状態の横断面図である。図８（Ａ）のコネクタハウジング１００は図８（Ｂ）で示したように、間口の奥に端子挿入孔を備えて成る樹脂製品である。その端子挿入孔は下の丸い拡大図で示したように、間口側が広く、奥側が狭い孔に形成されている。端子２００は図８（Ｃ）の下の丸い拡大図で示したように、この端子挿入孔に対応する形状の挿入部を備えており、この端子２００を端子挿入孔に挿入すると、Ａ方向はせん断が十分確保されるため端子をこのＡ方向で抜くことは困難だが、Ｂ方向には圧入代（しろ）分しか保持されないこととなる。
したがって、一般的には、間口側からオス端子を挿入している。
【０００５】
〈間口側から端子を挿入できない場合の問題点〉
このような理由により、間口側からの組み付けがコネクタにとってメリットとなるが、ところが、接触部よりも反対側の方が形状が大きい場合には間口側からの組み付けができないため、コネクタハウジングを逆さにして反対側より端子を挿入することになる。この場合には、前記（３）の場合に端子はコネクタハウジングに対して挿入した方向と同じ側に引っ張られるため、端子が抜け易い、という問題点があった。
【発明の概要】
【発明が解決しようとする課題】
【０００６】
本発明は、かかる問題点を解消するためになされたもので、間口の反対側から端子を挿入するタイプのコネクタであっても、端子の保持力を向上させ、解体性を向上させることのできるコネクタハウジングおよびそこに用いられる端子から成るコネクタを提供することを目的とする。
【課題を解決するための手段】
【０００７】
前記目的を達成するために、本願第１発明の抜け防止コネクタは、相手側コネクタ端子が挿入される挿入口と、自身の端子が挿入される端子挿入口である背面開口とを備えたコネクタハウジングと、前記背面開口から挿入されて前記コネクタハウジングの内部に保持される端子と、から構成されるコネクタにおいて、前記コネクタハウジングには、前記背面開口から前記コネクタハウジングの一方の側壁側の途中まで上半分において連続する側壁開口が形成されかつ前記側壁開口の上端から上方に向けてテーパ付き突起が立設され、かつ、前記端子が前記コネクタハウジングの内部に保持される位置で前記端子の前記コネクタハウジングの前記側壁のテーパ付き突起に対向する部位に、前記突起に入り込むテーパ付き凹部が形成されており、前記コネクタハウジングの前記側壁の反対側側壁にテーパ付き穴が形成され、かつ、前記端子が前記コネクタハウジングの内部に保持される位置で前記端子の前記コネクタハウジングの前記テーパ付き穴に対向する部位に、前記テーパ付き穴に入り込むテーパ付き突起が形成され、前記テーパ同士の作用で前記端子の挿入方向と直角な方向に前記端子がスライドして前記端子が前記コネクタハウジング内に保持されることを特徴とする。
【０００８】
本願第２発明は、第１発明の抜け防止コネクタにおいて、前記コネクタハウジングの前記側壁開口が形成されている側の側壁からコネクタハウジングの内部空間内に延びるタブサイドが形成され、前記タブサイドと前記端子のピンが接触し、かつ、前記端子のテーパ付き突起が前記コネクタハウジングの内壁と接触することで規制されながら挿入が行われることを特徴とする。
【発明の効果】
【０００９】
第１発明によれば、間口の反対側から端子を挿入するタイプのコネクタであっても、端子が抜けなくなるので保持力を向上させることができる。また、解体に際しては冶具を用いることで簡単に解体できるため、解体性も向上させることができる。
第２発明によれば、端子をコネクタハウジング内にスムーズに挿入することができるようになる。
【図面の簡単な説明】
【００１０】
【図１】図１は本発明に係るコネクタハウジングと端子から成るコネクタの分解斜視図で、コネクタハウジングの間口側から見た分解斜視図である。
【図２】図２はコネクタハウジングをコネクタハウジングの間口側下方から見た斜視図である。
【図３】図３（Ａ）は図１の状態のコネクタを横断面で見た分解斜視図で、図３（Ｂ）は図３（Ａ）のコネクタの反対側側面を見た分解斜視図である。
【図４】図４（Ａ）は端子をコネクタハウジングに挿入開始する状態のコネクタの斜視図で、図４（Ｂ）は端子を挿入している途中のコネクタの斜視図で、図４（Ｃ）は端子の挿入がさらに進んだコネクタの図４（Ａ）および（Ｂ）とは反対側の側面を見た横断面斜視図である。
【図５】図５（Ａ）は端子がコネクタハウジングに固定される直前のコネクタの一部断面斜視図、図５（Ｂ）は端子がコネクタハウジングに固定されたコネクタの一部断面斜視図である。
【図６】図６（Ａ）は端子がコネクタハウジングに固定されたコネクタの斜視図で、図６（Ｂ）は図５（Ｂ）のコネクタを反対側の側面を見た一部断面斜視図である。
【図７】図７（Ａ）は端子が固定されたコネクタハウジングの間口側を見た斜視図、図７（Ｂ）は端子が固定されたコネクタハウジングの反対側を見た斜視図である。
【図８】図８（Ａ）はコネクタハウジングの斜視図、図８（Ｂ）は図８（Ａ）の横断面図、図８（Ｃ）は端子を挿入した状態の横断面図である。
【発明を実施するための形態】
【００１１】
以下、間口の反対側から端子を挿入するタイプのコネクタであって、しかも端子の保持力と解体性を向上させることのできるコネクタについて、図面を用いて説明する。
〈本発明に係るコネクタの構成〉
図１〜図７において、本発明に係るコネクタ３０は、コネクタハウジング１０と、このコネクタハウジング１０の間口の反対側からコネクタハウジングの内部空間に挿入される端子２０とで構成される。
以下に、本発明に係るコネクタハウジング１０と端子２０について説明する。
【００１２】
〈本発明に係るコネクタハウジング１０の構成〉
本発明に係るコネクタハウジング１０は相手側コネクタ端子が挿入する間口１０Ｌ（図１）を有する樹脂成型品で、間口１０Ｌの反対側にある背面開口１０Ｒ（図２）から端子２０（図１）がコネクタハウジング１０の内部空間に挿入されるようになっている。
このコネクタハウジング１０の特徴は、
（１）一側壁１０Ｓ１（図１、図２、図３（Ａ））にテーパ付き穴１０Ｋ（図１、図２、図３（Ａ））があけられていること、
（２）反対側側壁１０Ｓ２（図３（Ｂ））にテーパ付き突起１０Ｍ（図３（Ｂ））が立設されていること、である。
【００１３】
〈本発明に係るテーパ付き穴１０Ｋ〉
図１、図２、図３（Ａ）において、一側壁１０Ｓ１にテーパ付き穴１０Ｋがあけられている。この穴１０Ｋは長方形の穴で、後述するテーパ付き突起２０Ｋ（図１、図３（Ａ））がこの穴１０Ｋに挿入できる大きさとしてある。長方形の上辺を形成する一側壁１０Ｓ１の厚み部位に略半円弧状の凸状テーパＴ１が形成されている。
【００１４】
〈本発明に係るテーパ付き突起１０Ｍ〉
図２において、間口１０Ｌ（図１）の反対側には背面開口１０Ｒが形成されており、かつその背面開口１０Ｒはさらに右辺の壁面の上方が抉（えぐ）られることで側壁１０Ｓ２側にまで延びて、最終的に側壁１０Ｓ２の後半部位まで上の約半分が開口する側壁開口１０Ｗが形成されている。側壁１０Ｓ２の上部から側壁開口１０Ｗに向けて突起１０Ｍが立設されている。突起１０Ｍの高さは端子２０の厚さであり、幅は端子２０の後述する係合凹部２０Ｍの幅になっている。そして、突起１０Ｍの頂部から内側方向下方に向けて略半円弧状の凸状テーパＴ２が形成されている。
また、側壁１０Ｓ２の突起１０Ｍからさらに間口側に、コネクタハウジング１０の内部空間内に延びるタブサイド（案内突出部）１０Ｔ（図５）が形成され、その長さは先端が端子２０のオス端子２０Ｐに接触する長さとしてある。
【００１５】
〈本発明に係る端子２０の構成〉
本発明に係る端子２０は、長方形の基部２０Ｂと、基部２０Ｂから相手側コネクタ端子に向けて一体に延びて相手側コネクタ端子（メス）の中に挿入するオス端子２０Ｐを２本とから成る金属板であり、コネクタハウジングの間口の反対側にある背面開口１０Ｒ（図２）から端子２０のオス端子２０Ｐ側からコネクタハウジングの内部空間に挿入され、最終的に端子２０全体がコネクタハウジング１０内に挿入されて固定されて成るものである。
この端子２０の特徴は、
（１）  長方形の基部２０Ｂのコネクタハウジング１０の一側壁１０Ｓ１（図１）に対向する辺に、コネクタハウジング１０のテーパ付き穴１０Ｋに入り込むためのテーパ付き突起２０Ｋ（図１、図３（Ａ））が形成されていること、
（２）  長方形の基部２０Ｂのコネクタハウジング１０の反対側の側壁１０Ｓ２（図２）に対向する辺に、コネクタハウジング１０のテーパ付き突起１０Ｍに係合するためのテーパ付き係合凹部２０Ｍ（図１、図３（Ｂ））が形成されていること、である。
【００１６】
〈本発明に係るテーパ付き突起２０Ｋ〉
図１、図３において、テーパ付き突起２０Ｋは、コネクタハウジング１０に形成された長方形の穴１０Ｋに過不足なく入り込むことができる大きさの突起で、かつ長方形の穴１０Ｋに形成された略半円弧状の凸状テーパＴ１に対向する部位に同じく略半円弧状の凸状テーパＴ１が形成されている。
【００１７】
〈本発明に係るテーパ付き係合凹部２０Ｍ〉
図１、図３において、テーパ付き係合凹部２０Ｍは、コネクタハウジング１０に形成されたテーパ付き突起１０Ｍが過不足なく入り込むことができる大きさの凹部で、かつテーパ付き突起１０Ｍに形成された略半円弧状の凸状テーパＴ２に対向する部位に同じく略半円弧状の凸状テーパＴ２が形成されている。
【００１８】
〈コネクタハウジング１０内への端子２０の組立手順〉
本発明に係るコネクタハウジング１０内へ本発明に係る端子２０を組み立てる手順を説明する。
（１）まず、端子２０の２本のオス端子２０Ｐをコネクタハウジング１０の背面開口１０Ｒ（図２）からコネクタハウジング２０の内部空間に挿入する。図４（Ａ）はこの状態を示している。
（２）さらに、挿入を続ける。図４（Ｂ）はこの状態を示している。まだ、テーパ付き突起２０Ｋもテーパ付き係合凹部２０Ｍもコネクタハウジング１０の係合部相手とは係合していない。端子２０のオス端子２０Ｐはコネクタハウジング１０の内部に突出形成されたタブサイド１０Ｔと接触し、また端子２０のテーパ付き突起２０Ｋがコネクタハウジング２０の内壁と接触することで、端子２０は規制されながら挿入が行われていく。
（３）さらに、挿入を続けると、端子２０の基部２０Ｂに形成されたテーパ付き係合凹部２０Ｍを形成している挿入方向前方の横木２０Ｎ（図１）が、コネクタハウジング１０に形成されたテーパ付き突起１０Ｍにぶつかる。そこで、端子２０の基部２０Ｂを上へ持ち上げて横木２０Ｎがテーパ付き突起１０Ｍを乗り越えるようにすると、横木２０Ｎはテーパ付き突起１０Ｍを乗り越え、テーパ付き係合凹部２０Ｍがテーパ付き突起１０Ｍに対向するようになる。このとき同時にコネクタハウジング１０の他の側壁１０Ｓ１では、テーパ付き突起２０Ｋがテーパ付き穴１０Ｋと対向するようになる。図５（Ａ）はこの状態を示している。
（４）テーパ付き係合凹部２０Ｍがテーパ付き突起１０Ｍに対向する位置に達すると、上部に位置する係合凹部２０ＭはそのテーパＴ１が下部に位置する突起１０ＭのテーパＴ１上を挿入方向と直角でコネクタハウジング１０内に挿入する方向に滑落して、テーパ付き突起２０Ｋに係合する。
これと同時に、反対壁面２０Ｔ２側のテーパ付き突起２０ＫもそのテーパＴ２がコネクタハウジング１０のテーパ付き穴１０ＫのテーパＴ２の下を挿入方向と直角でコネクタハウジング１０外に離脱する方向に潜り込んで、テーパ付き穴１０Ｋに係合する。図５（Ｂ）、図６（Ａ）および（Ｂ）、図７はこの状態を示している。
この状態では端子２０とコネクタハウジング１０は十分なせん断面を持つため、メスコネクタハウジングの引っ張りやメス端子の挿入により外れることはない。
【００１９】
〈保持解除のしかた〉
端子２０をコネクタハウジング１０から抜きたい（保持解除したい）ときは、穴１０Ｋに冶具などを差し込み、端子２０を持ち上げるように押すことで、内部のテーパーにのって保持が解除され、容易に抜くことができる。
【００２０】
〈まとめ〉
以上、本発明によれば、端子基部の一辺にコネクタハウジング側壁のテーパ付き穴に入り込むためのテーパ付き突起が形成され、かつ端子基部の反対辺にコネクタハウジング反対側壁のテーパ付き突起に係合するためのテーパ付き係合凹部が形成されることで、端子とコネクタハウジングは十分なせん断面を持つため、メスコネクタハウジングの引っ張りやメス端子の挿入により外れることはない。
また、端子をコネクタハウジングから抜くときは、穴に冶具などを差し込み、端子を持ち上げるように押すことで、内部のテーパーにのって保持が解除され、容易に抜くことができる。このように、間口の反対側から端子を挿入するタイプのコネクタであっても、端子が抜けなくなるので保持力を向上させることができ、また、解体に際しては冶具を用いることで簡単に解体できるため、解体性も向上させることができる。
【符号の説明】
【００２１】
１０  本発明に係るコネクタハウジング
１０Ｋ  テーパ付き穴
１０Ｌ  間口（相手側コネクタ端子の挿入口）
１０Ｍ  テーパ付き突起
１０Ｒ  背面開口
１０Ｓ１  一側壁
１０Ｓ２  反対側側壁
１０Ｔ  タブサイド（案内突出部）
１０Ｗ  側壁開口
２０  端子
２０Ｂ  長方形基部
２０Ｋ  テーパ付き突起
２０Ｍ  テーパ付き係合凹部
２０Ｎ  横木
２０Ｐ  オス端子
３０  本発明に係るコネクタ
Ｔ１  凸状テーパ
Ｔ２  凸状テーパ
【図１】
0005635390.tif 000002
【図２】
0005635390.tif 000003
【図３】
0005635390.tif 000004
【図４】
0005635390.tif 000005
【図５】
0005635390.tif 000006
【図６】
0005635390.tif 000007
【図７】
0005635390.tif 000008
【図８】
0005635390.tif 000009